(57)【要約】【課題】外周の４隅に面取り部を有し、頂壁面が傾斜面とされた商品を胴部が８角形のケースによって能率よく包装することができる商品の包装方法を提供することである。【解決手段】扁平に折り畳まれたケースＫ１を４角筒状に開箱して、２組の対向一対の側壁を有し、１組の対向一対の側壁のそれぞれが１枚の胴パネルＰ１、Ｐ３のみで形成され、残り１組の対向一対の側壁のそれぞれが１枚の胴パネルＰ２、Ｐ４と、その両側に設けられた一対の面取りパネルＣＰ２、ＣＰ３、ＣＰ４、ＣＰ５とで形成される４角筒状の角筒体Ｋ２を形成し、その角筒体Ｋ２を商品Ａの上方から、その商品Ａの外側に嵌合されるよう押し下げて、角筒体Ｋ２を、各胴パネルＰ１乃至Ｐ４および面取りパネルＣＰ２、ＣＰ３、ＣＰ４、ＣＰ５が商品Ａの外周に密着するよう成形し、同時に商品Ａを収容し、胴パネルＰ１乃至Ｐ４の両端に連設されたフラップＦ２、Ｆ４の折曲げと接着とにより底を形成する。【選択図】図３
2014005072.tif 000002
【特許請求の範囲】
【請求項１】
頂壁部が外周に向けて下り勾配をもって傾斜する傾斜面を有し、外周の４隅に面取り部が形成された商品を胴部が８角形のケースにより包装する商品の包装方法において、
扁平に折り畳まれたケースを４角筒状に開箱して、２組の対向一対の側壁を有し、１組の対向一対の側壁のそれぞれが１つの胴パネルのみで形成され、残り１組の対向一対のそれぞれの側壁が１つの胴パネルと、その両側に設けられた一対の面取りパネルとで形成される４角筒状の角筒体を形成し、各胴パネルに折り目線を介して連設され、ケースの底部となるフラップをこの折り目線で自由に外方に折れ曲がるようにして垂直状に下方に向けた状態でその角筒体を前記商品の上方に配置し、その角筒体を前記商品の上方から、その商品の外側に嵌合するよう押し下げて、胴パネルと一対の面取りパネルとで形成される一対の側壁を商品の傾斜状の前記傾斜面に対する接触により外方に押し拡げて、４枚の胴パネルのそれぞれを商品の外周面に接触させると共に、面取りパネルのそれぞれを商品の外周４隅に位置する面取り部に対応させて４角筒状のケースを８角形に成形し、その８角形のケース内に商品が収容される状態で、前記胴パネルに連設された前記フラップを内向きに折曲げ、互いに重なり合うフラップの接合により底部を形成したことを特徴とする商品の包装方法。
【請求項２】
胴部が８角形のケースにより商品を包装する商品の包装方法において、
扁平に折り畳まれたケースを４角筒状に開箱して、２組の対向一対の側壁を有し、１組の対向一対の側壁のそれぞれが１つの胴パネルのみで形成され、残り１組の対向一対のそれぞれの側壁が１つの胴パネルと、その両側に設けられた一対の面取りパネルとで形成される４角筒状の角筒体を形成し、各胴パネルに折り目線を介して連設され、ケースの底部となるフラップをこの折り目線で自由に外方に折れ曲がるようにして垂直状に下方に向けた状態でその角筒体を前記商品の上方に配置し、その角筒体を前記商品の上方から、その商品の外側に嵌合するよう押し下げて、前記折り目線で外方へ折れ曲がってラッパ状に開口している各フラップの内面が前記商品の外周上部に接触して商品を前記角筒体内へ案内しながら胴パネルと一対の面取りパネルとで形成される一対の側壁のそれぞれを外方に押し拡げて、４枚の胴パネルのそれぞれを商品の外周面に接触させると共に、面取りパネルのそれぞれを商品の外周４隅に対応させて４角筒状のケースを８角形に成形し、その８角形のケース内に商品が収容される状態で、前記胴パネルに連設された前記フラップを内向きに折曲げ、互いに重なり合うフラップの接合により底部を形成したことを特徴とする商品の包装方法。
【発明の詳細な説明】
【技術分野】
【０００１】
この発明は、飲料が充填されたペットボトル等の商品の包装方法に関する。
【背景技術】
【０００２】
お茶やジュース等の飲料が充填されるペットボトルとして、胴部の外周４隅に面取り部が形成され、筒口部を中央部に有する頂壁部が外周に向けて下り勾配をもって傾斜する傾斜面とされたものが従来から知られている。
【０００３】
上記のような商品としてのペットボトルは、複数本を１単位として段ボールからなるケースにより包装され、輸送される。ここで、１単位当たりのペットボトルは重く、また、ケース複数段に積み重ねられた状態で輸送されるため、４角形の胴部の４隅部に面取り部が形成された断面８角形の圧縮強度の高いケースで包装される場合がある。
【０００４】
図１０は、胴部が断面８角形のケースの形成用素材としてのブランクを示す。このブランクＳは、４角筒状の胴部を形成する４枚の第１胴パネルＰ１乃至第４胴パネルＰ４および上記胴部の４隅に面取りを形成する幅狭の５枚の第１面取りパネルＣＰ１乃至第５面取りパネルＣＰ５が縦折り目線１２を介して一方向に交互に連設され、上記第１胴パネルＰ１および第３胴パネルＰ３の両端には、内フラップＦ１、Ｆ２が横折り目線１３を介して連設され、また、第２胴パネルＰ２および第４胴パネルＰ４の両端には外フラップＦ３、Ｆ４が横折り目線１３を介して連設されている。
【０００５】
上記のようなブランクＳは、図１０に示すような第１胴パネルＰ１乃至第４胴パネルＰ４および第１面取りパネルＣＰ１乃至第５面取りパネルＣＰ５の平坦な展開状態から、これらの各パネルでの筒状の胴部の成形によって８角形のケースに組み立てられる第１組立方法の場合と、第１胴パネルＰ１が第２胴パネルＰ２に重なり、第４胴パネルＰ４が第３胴パネルＰ３に重なる折り畳みとされて、互いに重なり合う第１面取りパネルＣＰ１と第５面取りパネルＣＰ５の接着により一旦扁平な折り畳みケースとしてから、そのケースを開き、かつ、筒状の胴部に成形して８角形のケースに組立てられる第２組立方法の場合とがある。
【０００６】
上記第１および第２組立方法の双方とも、胴部を８角形の筒状に成形した後に、ケースの底部となる内フラップと外フラップとを重ね合わせて接着剤で接着して８角形のケースとして作り、その後、このケース内に商品を入れることになる。
【０００７】
特許文献１では、上記第１組立方法によるケース組立装置を提案し、また、特許文献２では、上記第２組立方法によるケース組立装置を提案している。
【先行技術文献】
【特許文献】
【０００８】
【特許文献１】特許第３３０４９９１号公報
【特許文献２】特許第３４９２４７２号公報
【発明の概要】
【発明が解決しようとする課題】
【０００９】
ところで、胴部が８角形のケースを用いる商品の包装に際し、従来は、上記の通り、底部を有する８角形のケースを形成する段階と、そのケースの内部に商品を装入する段階とを別個に必要とするため、非常に手間がかかっていた。
【００１０】
この発明の課題は、複数のペットボトルからなる整列商品のような商品を８角形のケースによって能率よく包装することができる商品の包装方法を提供することである。
【課題を解決するための手段】
【００１１】
上記の課題を解決するために、第１の発明においては、頂壁部が外周に向けて下り勾配をもって傾斜する傾斜面を有し、外周の４隅に面取り部が形成された商品を胴部が８角形のケースにより包装する商品の包装方法において、扁平に折り畳まれたケースを４角筒状に開箱して、２組の対向一対の側壁を有し、１組の対向一対の側壁のそれぞれが１つの胴パネルのみで形成され、残り１組の対向一対のそれぞれの側壁が１つの胴パネルと、その両側に設けられた一対の面取りパネルとで形成される４角筒状の角筒体を形成し、各胴パネルに折り目線を介して連設され、ケースの底部となるフラップをこの折り目線で自由に外方に折れ曲がるようにして垂直状に下方に向けた状態でその角筒体を前記商品の上方に配置し、その角筒体を前記商品の上方から、その商品の外側に嵌合するよう押し下げて、胴パネルと一対の面取りパネルとで形成される一対の側壁を商品の傾斜状の前記傾斜面に対する接触により外方に押し拡げて、４枚の胴パネルのそれぞれを商品の外周面に接触させると共に、面取りパネルのそれぞれを商品の外周４隅に位置する面取り部に対応させて４角筒状のケースを８角形に成形し、その８角形のケース内に商品が収容される状態で、前記胴パネルに連設された前記フラップを内向きに折曲げ、互いに重なり合うフラップの接合により底部を形成した構成を採用したのである。
【００１２】
また、上記の課題を解決するために、第２の発明においては、胴部が８角形のケースにより商品を包装する商品の包装方法において、扁平に折り畳まれたケースを４角筒状に開箱して、２組の対向一対の側壁を有し、１組の対向一対の側壁のそれぞれが１つの胴パネルのみで形成され、残り１組の対向一対のそれぞれの側壁が１つの胴パネルと、その両側に設けられた一対の面取りパネルとで形成される４角筒状の角筒体を形成し、各胴パネルに折り目線を介して連設され、ケースの底部となるフラップをこの折り目線で自由に外方に折れ曲がるようにして垂直状に下方に向けた状態でその角筒体を前記商品の上方に配置し、その角筒体を前記商品の上方から、その商品の外側に嵌合するよう押し下げて、前記折り目線で外方へ折れ曲がってラッパ状に開口している各フラップの内面が前記商品の外周上部に接触して商品を前記角筒体内へ案内しながら胴パネルと一対の面取りパネルとで形成される一対の側壁のそれぞれを外方に押し拡げて、４枚の胴パネルのそれぞれを商品の外周面に接触させると共に、面取りパネルのそれぞれを商品の外周４隅に対応させて４角筒状のケースを８角形に成形し、その８角形のケース内に商品が収容される状態で、前記胴パネルに連設された前記フラップを内向きに折曲げ、互いに重なり合うフラップの接合により底部を形成した構成を採用したのである。
【００１３】
ここで、商品は、単品であってもよく、あるいは、ペットボトルのような複数の商品を１単位として縦横に整列させたものであってもよい。その商品の外側に４角筒状に開箱したケースを無理に嵌合させることにより、胴パネルと一対の面取りパネルとで形成される一対の側壁は外方に押し拡げられて４枚の胴パネルのそれぞれが商品の外周面に接触し、同時に面取りパネルのそれぞれが商品の外周４隅に位置する面取り部に対応することになって、ケースは８角形に成形されることになる。
【００１４】
このため、ケースを８角形に成形してから、その内側に商品を装入する包装方法に比較して、商品を能率よく包装することができる。
【発明の効果】
【００１５】
この発明においては、上記のように、ケース内に対する商品の装入と同時にそのケースの胴部を８角形に成形することができるため、商品を極めて能率よく包装することができる。
【図面の簡単な説明】
【００１６】
【図１】扁平な折り畳みケースを示す斜視図
【図２】図１に示すケースを４角筒状に開箱した角筒体の斜視図
【図３】商品に角筒体を嵌合する前段の状態を示す分解斜視図
【図４】図３の横断面図
【図５】商品に角筒体を嵌合した状態の横断面図
【図６】各筒体の嵌合状態を示す斜視図
【図７】商品の包装状態を示す斜視図
【図８】図７の縦断面図
【図９】商品包装方法の他の例を示す斜視図
【図１０】ケースの形成用素材としてのブランクを示す平面図
【発明を実施するための形態】
【００１７】
以下、この発明の実施の形態を図面に基づいて説明する。図１は、図１０に示すブランクＳの折曲げと接着とによって形成された扁平な折り畳みケースＫ１を示す。その扁平な折り畳みケースＫ１の形成に際しては、図１０に示すブランクＳを第３胴パネルＰ３と第４面取りパネルＣＰ４間の縦折り目線１２に沿って折り曲げて、第４胴パネルＰ４が第３胴パネルＰ３に重なる折曲げとし、かつ、第１胴パネルＰ１と第２面取りパネルＣＰ２間の縦折り目線１２に沿って折り曲げて、第１胴パネルＰ１が第２胴パネルＰ２に重なる折曲げとして第１面取りパネルＣＰ１を第５面取りパネルＣＰ５に重ね合わせ、その互いに重なり合う第１面取りパネルＣＰ１と第５面取りパネルＣＰ５を接着により接合する。
【００１８】
図１に示す扁平な折り畳みケースＫ１を用いる商品の包装に際しては、第１工程において、扁平な折り畳みケースＫ１を４角筒状に開箱し、図２に示すように、４角筒状の角筒体Ｋ２を形成する。この場合、角筒体Ｋ２の２組の対向一対の側壁のうち、１組の対向一対のそれぞれの側壁は、第１胴パネルＰ１と第３胴パネルＰ３の各１つの胴パネルで形成されるものとし、残り１組の対向一対のそれぞれの側壁は、１つの胴パネルと、その両側に設けられた一対の面取りパネルで形成されるように、一方の側壁は、第２胴パネルＰ２およびその両側に連設された第２、第３面取りパネルＣＰ２、ＣＰ３で形成され、他方の側壁は、第４胴パネルＰ４およびその両側に連設された第４、第５面取りパネルＣＰ４、ＣＰ５で形成され、第５面取りパネルＣＰ５は第１面取りパネルＣＰ１と重ね合わせて接着されている。
【００１９】
ここで、扁平な折り畳みケースＫ１の開箱に際しては、例えば、第１胴パネルＰ１を吸着パッドで吸着し、その吸着パッドを折り畳みケースＫ１の側縁を回転軸心として９０°揺動させる従来から普通に行われている開箱方法を採用することによって簡単に開箱することができる。なお、図２に示すような開箱は人手で行ってもよい。
【００２０】
第１工程で図２に示す４角筒状の角筒体Ｋ２の形成後、第２工程では、図３に示すように、ケースの底部となる各内フラップＦ２と各外フラップＦ４が横折り目線１３で自由に外方に折れ曲がる垂直状態で、その角筒体Ｋ２を商品Ａの上方に配置する。
【００２１】
この第２工程は、装置で自動的に行なってもよいし、または、人手で行ってもよい。商品Ａとして、ここでは、複数のペットボトルｂを縦横に整列させた整列商品Ａからなり、各ペットボトルｂにおいては、胴部１の外周４隅に面取り部２が直線状に形成され、キャップによって閉鎖された筒口部３を中央部に有する頂壁部４が外周に向けて下り勾配をもって傾斜する傾斜面とされている。
【００２２】
図４に示すように、角筒体Ｋ２は、長い方の胴パネルＰ２、Ｐ４およびそれぞれ各一対の面取りパネルＣＰ２、ＣＰ３およびＣＰ４、ＣＰ５で形成される対向一対の側壁の対向内面の間隔Ｌ１が、整列商品Ａの対向一対の外側面間の長さｌ１より小さくなり、また、短い方の胴パネルＰ１、Ｐ３のみで形成される対向一対の側壁の対向内面の間隔Ｌ２が、整列商品Ａの対向一対の外端面間の長さｌ２より大きくなっており、上記間隔Ｌ１と間隔Ｌ２を加えた長さが、整列商品Ａの対向一対の外側面間の長さｌ１と対向一対の外端面間の長さｌ２を加えた長さに等しくされている。
【００２３】
次に、第３工程では、図３に示すように、上記第２工程で商品Ａの上方に配置された角筒体Ｋ２を商品Ａに向けて押し下げて、図６に示すように商品Ａの外側に角筒体Ｋ２を嵌合する。
【００２４】
なお、角筒体Ｋ２と商品Ａの少なくとも一方を互いに接近する方向に移動させて、商品Ａの外側に角筒体Ｋ２を嵌合させるようにしてもよい。
【００２５】
この第３工程での過程において、角筒体Ｋ２と商品Ａとが接近して、外フラップＦ４の下端縁がペットボトルｂにおける頂壁部４の傾斜状上面に案内される。このため、外フラップＦ４のそれぞれは横折り目線１３から外方に折れ曲がって内面が商品Ａの胴部１の外周上部に接触し、商品Ａを案内しながら角筒体Ｋ２内へ商品Ａを装入していくと共に、第２胴パネルＰ２と両側の一対の面取りパネルＣＰ２、ＣＰ３および第４胴パネルＰ４と両側の一対の面取りパネルＣＰ４、ＣＰ５とで形成される一対の側壁のそれぞれが整列商品Ａの頂壁部４の傾斜面に対する接触により外方に押し拡げられる。その押し拡げに伴ない、胴パネルＰ２、Ｐ４のそれぞれが整列商品Ａの外周面に接触し、その胴パネルＰ２、Ｐ４の各両側の面取りパネルＣＰ２、ＣＰ３、ＣＰ４、ＣＰ５のそれぞれが折れ曲がって整列商品Ａの外周４隅に位置する面取り部２に対応し、さらに、胴パネルＰ１、Ｐ３が内方に引き寄せられて整列商品Ａの外周面に接触し、８角形の角筒体Ｋ３が成形されながら同時に角筒体Ｋ３内に商品Ａが装入されることになる。
【００２６】
なお、角筒体Ｋ２と商品Ａとの接近は装置で自動的に行なってもよく、または、人手で行ってもよい。
【００２７】
図６に示すように、第３工程で８角形の角筒体Ｋ３内に整列商品Ａが収容される状態の後の第４工程では、胴パネルＰ１およびＰ３のそれぞれ両端に横折り目線１３を介して連設された内フラップＦ１、Ｆ２を内向きに折曲げ、かつ、胴パネルＰ２およびＰ４のそれぞれ両端に横折り目線１３を介して連設された外フラップＦ３、Ｆ４を内向きに折曲げて、先に折り曲げられた内フラップＦ１、Ｆ２に重ね合わせ、互いに重なり合うフラップを、内フラップＦ１、Ｆ２の表面に予め塗布された接着剤により接合する。その接合によって、図７および図８に示すように、整列商品Ａを収容するケースＫ４が形成され、商品Ａの包装が完了する。
【００２８】
この第４工程は、装置で自動的に行ってもよく、又は、人手で行ってもよい。なお、内フラップＦ１と外フラップＦ２とを有さない蓋の無いケースであってもよい。また、商品Ａの４隅は円形状に面取りされているものであってもよい。
【００２９】
上記のように、扁平な折り畳みケースＫ１を角筒状に開箱して角筒体Ｋ２を形成し、その角筒体Ｋ２を商品Ａの外側に無理に嵌合させることにより、角筒体Ｋ２は整列商品Ａとの接触により８角形に成形され、同時に、商品Ａが装入されるため、商品Ａを極めて能率よく包装することができる。
【００３０】
図１乃至図８では、整列商品Ａとしてのペットボトルｂが、胴部１の外周４隅に直線状の面取り部２が形成され、頂壁部４が外周に向けて下り勾配をもって傾斜する傾斜面とされたものを示したが、ペットボトルｂはこれに限定されるものではない。例えば、胴部が円筒状とされたものであってもよく、あるいは、外周の４隅部が円弧状とされたものであってもよい。また、整列商品Ａはペットボトルｂに限定されず、頂壁部がフラットな円筒状のものであってもよい。
【００３１】
図９は、胴部の４隅部が円弧状とされ、上面がフラットな筒状商品ｃを整列し、その整列商品Ａを包装用商品としている。上記のような整列商品Ａの包装に際しては、４角筒状の角筒体Ｋ２の形成後、その角筒体Ｋ２を商品Ａの上方に配置し、ケースの底部となる各内フラップＦ２と各外フラップＦ４を横折り目線１３に沿って外方に折り曲げた状態で、その角筒体Ｋ２を商品Ａに向けて押し下げて、整列商品Ａの外側に角筒体Ｋ２を嵌合する。
【００３２】
その嵌合過程において、外フラップＦ４の内面が整列商品Ａの外周上部に接触して商品Ａを案内しながら角筒体Ｋ２内へ商品Ａを装入していくと共に、第２胴パネルＰ２と両側の一対の面取りパネルＣＰ２、ＣＰ３および第４胴パネルＰ４と両側の一対の面取りパネルＣＰ４、ＣＰ５とで形成される一対の側壁のそれぞれが整列商品Ａの外周上部に接触により外方に押し拡げられる。その押し拡げに伴ない、胴パネルＰ２、Ｐ４のそれぞれが整列商品Ａの外周面に接触し、その胴パネルＰ２、Ｐ４の各両側の面取りパネルＣＰ２、ＣＰ３、ＣＰ４、ＣＰ５のそれぞれが折れ曲がって整列商品Ａの外周４隅に対応し、さらに、胴パネルＰ１、Ｐ３が内方に引き寄せられて整列商品Ａの外周面に接触し、８角形の角筒体Ｋ３が成形されながら同時に角筒体Ｋ３内に商品Ａが装入される。
【００３３】
整列商品Ａの収容後は、前述と同様に、内フラップＦ１、Ｆ２、および、外フラップＦ３、Ｆ４の折曲げと接着とを行なって、ケースＫ４を形成する。
【符号の説明】
【００３４】
Ｐ１    第１胴パネル
Ｐ２    第２胴パネル
Ｐ３    第３胴パネル
Ｐ４    第４胴パネル
ＣＰ１  第１面取りパネル
ＣＰ２  第２面取りパネル
ＣＰ３  第３面取りパネル
ＣＰ４  第４面取りパネル
ＣＰ５  第５面取りパネル
Ｆ１    内フラップ
Ｆ２    内フラップ
Ｆ３    外フラップ
Ｆ４    外フラップ
Ｋ１    折り畳みケース
Ｋ２    角筒体
Ｋ３    角筒体
Ｋ４    ケース
１３    横折り目線
【図１】
2014005072.tif 000003
【図２】
2014005072.tif 000004
【図３】
2014005072.tif 000005
【図４】
2014005072.tif 000006
【図５】
2014005072.tif 000007
【図６】
2014005072.tif 000008
【図７】
2014005072.tif 000009
【図８】
2014005072.tif 000010
【図９】
2014005072.tif 000011
【図１０】
2014005072.tif 000012